(57)【要約】      （修正有）【課題】画像処理により認識した被写体に係る情報をＳＮＳ等の外部データ提供サービスから取得し絞り込みを行うと共に優先順位付けを行い、被写体周りに当該情報を選択自在なアイコンを表示可能とする。【解決手段】情報表示システムは、ユーザ装置１が、通信部によりサーバからの優先順位付けがなされた情報を受信すると、表示制御部４の制御により表示部８に推定された画像データ中の被写体を取り囲むように、当該情報を選択可能なアイコンを表示するものであり、特に表示制御部は、被写体を取り囲む円弧軌道上に複数のアイコンを送り出し、所定数のアイコンが当該円弧軌道上に配列された後、所定の速度で当該アイコン群を前記円弧軌道上を移動させる。【選択図】図１
2015166941.tif 000002
【特許請求の範囲】
【請求項１】
ユーザ装置と、
前記ユーザ装置及び外部データ提供サーバと通信自在なサーバと、
からなる情報表示システムであって、
前記ユーザ装置は、
被写体像を撮影するカメラ部と、
前記カメラ部により取得された画像データの中の被写体を推定する推定部と、
所定の規則に従ったアイコンの表示を制御する表示制御部と、
前記アイコンを表示する表示部と、
前記サーバと通信する通信部と、を備え、
前記サーバは、
前記ユーザ装置、外部データ提供サーバと通信するサーバ通信部と、
ＩＤと関連情報とを対応付けて記憶するデータベースと、
前記ユーザ装置より送られてきた画像データの中の被写体を特定する画像特定部と、
前記ＩＤと対応付けられている関連ＩＤに係る画像と前記画像特定部で特定した画像との比較を行い、被写体が何かを特定する特定部と、
前記特定部により特定したＩＤと関連付けられて記憶されている付加情報の中から、送信すべき情報を絞り込む情報絞込部と、
前記情報絞込部により絞り込んだ情報について優先順位付けする情報優先順位付部と、
前記情報優先順位付部により優先順位付けされた情報を、前記サーバ通信部を介して前記ユーザ装置に送信するよう制御する主制御部と、を備え、
前記ユーザ装置は、前記通信部により前記サーバからの優先順位付けがなされた情報を受信すると、前記表示制御部の制御により前記表示部に前記推定された画像データ中の被写体を取り囲むように、当該情報を選択可能なアイコンを表示する
情報表示システム。
【請求項２】
前記ユーザ装置において、前記表示制御部は、前記被写体を取り囲む円弧軌道上に複数のアイコンを送り出し、所定数のアイコンが当該円弧軌道上に配列された後、所定の速度で当該アイコン群を前記円弧軌道上を移動させる
請求項１に記載の情報表示システム。
【請求項３】
コンピュータが、
画像データの中の被写体を特定し、
前記被写体の画像データをサーバに送信し、
前記サーバからの当該被写体に関わる優先順位付けがなされた情報を受信し、
前記特定された画像データ中の被写体を取り囲むように、当該情報を選択可能な複数のアイコンを表示する
情報表示方法。
【請求項４】
前記コンピュータが、
前記被写体を取り囲む所定の円弧軌道上に複数のアイコンを送り出し、所定数のアイコンが当該円弧軌道上に配列された後、所定の速度で当該アイコン群を前記円弧軌道上で移動させる
請求項３に記載の情報表示方法。
【請求項５】
ユーザ装置及び外部データ提供サーバと通信自在なサーバであって、
前記ユーザ装置、外部データ提供サーバと通信するサーバ通信部と、
ＩＤと関連情報とを対応付けて記憶するデータベースと、
前記ユーザ装置より送られてきた画像データの中の被写体を特定する画像特定部と、
前記ＩＤと対応付けられている関連ＩＤに係る画像と前記画像特定部で特定した画像との比較を行い、被写体が何かを特定する特定部と、
前記特定部により特定したＩＤと関連付けられて記憶されている付加情報の中から、送信すべき情報を絞り込む情報絞込部と、
前記情報絞込部により絞り込んだ情報について優先順位付けする情報優先順位付部と、
前記情報優先順位付部により優先順位付けされた情報を、前記サーバ通信部を介して前記ユーザ装置に送信するよう制御する主制御部と、を備え、
前記ユーザ装置において、前記特定された画像データ中の被写体を取り囲むように、当該情報を選択可能な複数のアイコンを表示するよう促す
サーバ。
【発明の詳細な説明】
【技術分野】
【０００１】
本発明は、被写体を特定して当該被写体に対する多種多様な情報をＳＮＳ等から取得して提供可能とする情報表示システム、情報表示方法、及びサーバに関する。
【背景技術】
【０００２】
従来、携帯電話機やスマートフォン等の携帯端末は、カメラ等をはじめとする多機能を備えている。そして、今日では、ユーザが身につけることが可能な所謂ウェアラブルコンピュータも様々な形で実現されてきている。特に、眼鏡型の携帯端末は、簡易に装着できることから、次世代を担う端末として注目されている。
【０００３】
このようなカメラを備えた携帯端末としては、例えば特許文献１に開示されたものがある。同文献１に開示された携帯情報端末は、カメラを備えており、被写界の撮影画像を表示し、特定された対象物が撮影画面中における特定の範囲に存在すると、拡大表示を表示し、対象物の名称等の情報も表示する。
【０００４】
一方、今日では、Facebookやtwitter等をはじめとする多種多様なＳＮＳがサービスを提供しており、ユーザは前述したようなスマートフォン等の携帯端末を活用して当該ＳＮＳに随時アクセスすることもできるようになっている。
【先行技術文献】
【特許文献】
【０００５】
【特許文献１】特開２０１０−２８２１７号公報
【発明の概要】
【発明が解決しようとする課題】
【０００６】
しかしながら、前述した特許文献１では、撮影画面内の対象物を特定することは開示されているものの、当該特定された対象物とＳＮＳ等のソーシャルメディアが提供する情報とのリンクという視点はなかった。
【０００７】
さらに、対象物に関する情報について、優先順位付けを行い、当該情報を効率良く選択することが可能なアイコンを効果的に表示するとの視点はなかった。
【０００８】
本発明は、上述したような技術的な課題に鑑みてなされたもので、その目的とするところは、画像処理により認識した被写体に係る情報をＳＮＳ等の外部データ提供サービスから取得して絞り込み及び／又は優先順位付けを行い、被写体周りに当該情報を選択自在なアイコンを表示する情報表示システム、情報表示方法、及びサーバを提供することにある。
【課題を解決するための手段】
【０００９】
上述したような技術的な課題を解決するために、本発明の第１の態様に係る情報表示システムは、ユーザ装置と、前記ユーザ装置及び外部データ提供サーバと通信自在なサーバと、からなる情報表示システムであって、前記ユーザ装置は、被写体像を撮影するカメラ部と、前記カメラ部により取得された画像データの中の被写体を推定する推定部と、所定の規則に従ったアイコンの表示を制御する表示制御部と、前記アイコンを表示する表示部と、前記サーバと通信する通信部と、を備え、前記サーバは、前記ユーザ装置、外部データ提供サーバと通信するサーバ通信部と、ＩＤと関連情報とを対応付けて記憶するデータベースと、前記ユーザ装置より送られてきた画像データの中の被写体を特定する画像特定部と、前記ＩＤと対応付けられている関連ＩＤに係る画像と前記画像特定部で特定した画像との比較を行い、被写体が何かを特定する特定部と、前記特定部により特定したＩＤと関連付けられて記憶されている付加情報の中から、送信すべき情報を絞り込む情報絞込部と、前記情報絞込部により絞り込んだ情報について優先順位付けをする情報優先順位付部と、前記情報優先順位付部により優先順位付けされた情報を、前記サーバ通信部を介して前記ユーザ装置に送信するよう制御する主制御部と、を備え、前記ユーザ装置は、前記通信部により前記サーバからの優先順位付けがなされた情報を受信すると、前記表示制御部の制御により前記表示部に前記推定された画像データ中の被写体を取り囲むように、当該情報を選択可能なアイコンを表示することを特徴とする。
【００１０】
本発明の第２の態様に係る情報表示方法は、コンピュータが、画像データの中の被写体を特定し、前記被写体の画像データをサーバに送信し、前記サーバからの当該被写体に関わる優先順位付けがなされた情報を受信し、前記特定された画像データ中の被写体を取り囲むように、当該情報を選択可能な複数のアイコンを表示することを特徴とする。
【００１１】
さらに、本発明の第３の態様に係るサーバは、ユーザ装置及び外部データ提供サーバと通信自在なサーバであって、前記ユーザ装置、外部データ提供サーバと通信するサーバ通信部と、ＩＤと関連情報とを対応付けて記憶するデータベースと、前記ユーザ装置より送られてきた画像データの中の被写体を特定する画像特定部と、前記ＩＤと対応付けられている関連ＩＤに係る画像と前記画像特定部で特定した画像との比較を行い、被写体が何かを特定する特定部と、前記特定部により特定したＩＤと関連付けられて記憶されている付加情報の中から、送信すべき情報を絞り込む情報絞込部と、前記情報絞込部により絞り込んだ情報について優先順位付けする情報優先順位付部と、前記情報優先順位付部により優先順位付けされた情報を、前記サーバ通信部を介して前記ユーザ装置に送信するよう制御する主制御部と、を備え、前記ユーザ装置において、前記特定された画像データ中の被写体を取り囲むように、当該情報を選択可能な複数のアイコンを表示するよう促すことを特徴としている。
【発明の効果】
【００１２】
本発明に係る情報表示システム、情報表示方法、及びサーバによれば、画像処理により認識した被写体に係る情報をＳＮＳ等の外部データ提供サービスから取得し、絞り込み及び／又は優先順位付けを行い、被写体周りに当該情報を選択自在なアイコンを表示し所望とする情報を効率良く選択することを可能とする。
【図面の簡単な説明】
【００１３】
【図１】本発明の一実施形態に係る情報表示システムの構成を示す図。
【図２】（ａ）はユーザテーブルを示す図、（ｂ）はモノテーブルを示す図。
【図３】本発明の一実施形態に係る情報表示システムの処理の流れを示すフローチャート。
【図４】ユーザ装置の表示部による表示例を示す図。
【図５】図３のステップＳ１５の処理の詳細を説明するフローチャート。
【図６】（ａ）乃至（ｅ）はアイコンの表示方法を示す図。
【発明を実施するための形態】
【００１４】
以下、本発明の情報表示システム、情報表示方法及びサーバに係る好適な実施形態について図面を参照しながら説明する。なお、本発明の情報表示システム、情報表示方法及びサーバは、以下の記述に限定されるものではなく、本発明の要旨を逸脱しない範囲において、適宜変更可能である。
【００１５】
図１には本発明の一実施形態に係る情報表示システムの構成を示し説明する。
【００１６】
この図１に示されるように、本実施形態に係る情報表示システムは、ユーザ装置１、サーバ２０、外部データ提供サーバ４０が、インターネット等のネットワーク５０を介して通信自在に接続され、構成されている。
【００１７】
ユーザ装置１としては、携帯端末、より詳細には、各種ウェアラブルコンピュータ、例えば眼鏡型デバイス等を採用することができる。
【００１８】
ユーザ装置１は、全体の制御を司るＣＰＵ等の制御部２を備えており、当該制御部２には通信部６が接続されている。さらに、制御部２には、被写体像を撮像し画像データを取得するカメラ部７、ユーザに対して所定の情報を提示する表示部８、マイクロフォン等の音声入力部９、スピーカやイヤホン等の音声出力部１０、操作ボタン等の操作入力部１１が接続されている。さらに、制御部２には、ＲＡＭやＲＯＭ等のメモリやＨＤＤからなる記憶部１２が接続されている。
【００１９】
ユーザ装置１の制御部２は、カメラ部７により取得された画像データの中の物体（人物等の被写体を含む）を推定する物体推定部３、表示部８での各種表示を制御する表示制御部４、音声入力部９から入力された音声を認識して制御信号を生成し、或いは操作入力部１１の操作に基づいて制御信号を生成し、各部に対して当該制御信号を送出して駆動制御するための入出力制御部５、として機能する。より具体的には、例えば、記憶部１２に記憶されたアプリケーションプログラムを制御部２が読み出して実行することで、上記物体推定部３、表示制御部４、入出力制御部５として機能する。このプログラムは、コンピュータ読み取り可能な記憶媒体により提供されてよい。
【００２０】
一方、サーバ２０は、全体の制御を司る制御部２１と、通信部２８、ユーザデータベース（以下、ＤＢと略記する）２９、モノＤＢ３０を備えている。ユーザＤＢ２９には登録ユーザに関わるユーザテーブル１００が格納されており、モノＤＢ３０には登録モノに関わるモノテーブル１０１が格納されている。
【００２１】
ここで、図２（ａ）にはユーザＤＢ２９に格納されたユーザテーブル１００の一例を示し、図２（ｂ）にはモノＤＢ３０に格納されたモノテーブル１０１の一例を示す。ユーザテーブル１００では、ユーザＩＤと名前、顔写真（画像データ及び／又は特徴量情報）、関連するユーザＩＤ、関連するモノＩＤ、付加情報が関連付けられて記憶されている。モノテーブル１０１では、モノＩＤと名前、モノ写真（画像データ及び／又は特徴量情報）、関連するユーザＩＤ、関連するモノＩＤ、付加情報が関連付けられて記憶されている。これらは、一例であり、これらに限定されるものではない。尚、ＩＤ以外の情報を、以下では関連情報と定義する。
【００２２】
サーバ２０の制御部２１は、画像特定部２２、ユーザ・物品特定部２３、情報絞込部２４、情報優先順位付部２５、情報取得・更新部２６、主制御部２７として機能する。
【００２３】
より詳細には、画像特定部２２は、ユーザ装置１から送られてきた画像データの中の被写体（モノ、人）の画像を特定する。このとき、対象が人であれば、顔認識の為に特徴量抽出を行ってもよい。ユーザ・物品特定部２３は、ユーザＩＤと対応付けられている関連するユーザＩＤに係るユーザの顔写真、関連するモノＩＤに係るモノのモノ写真を参照して、上記画像特定部２２で特定した画像との比較（マッチング）を行い、被写体の中に含まれていた人又はモノが何かを特定する。
【００２４】
情報絞込部２４は、上記特定したユーザ又はモノのＩＤと関連付けられて記憶されている付加情報の中から、送信すべき情報を絞り込む。情報優先順位付部２５は、絞り込んだ情報について、更に優先順位付けを行う。例えば、ユーザが所在する場所や時間や前後の行動に応じて、その関連性が高い順に優先順位付けを行うことができる。情報取得・更新部２６は、定期的に外部データ提供サーバ４０にアクセスして、ユーザやモノに関わる情報を取得し、ユーザＤＢ２９、モノＤＢ３０の情報を更新する。主制御部２７は、その他の各種処理を統括して制御する。
【００２５】
一方、外部データ提供サーバ４０としては、FacebookやTwitter等をはじめとするＳＮＳやＷｅｂＡＰＩ(Web Application Programming Interface)、オープンデータを提供するサーバを想定しているが、これらには限定されない。尚、ＷｅｂＡＰＩは、Ｗｅｂサイトなどの開発のために、インターネット経由で利用できるＡＰＩである。
【００２６】
以下、図３のフローチャートを参照して、本発明の一実施形態に係る情報表示システムの処理の流れを説明する。
【００２７】
ユーザ装置１において、制御部２の制御の下、カメラ部７で被写体を撮影すると（ステップＳ１）、制御部２の物体推定部３が撮影された画像データの中の物体（人物を含む）の画像領域を推定する（ステップＳ２）。ここでは、人物等について顔認識まで行ってもよいし、単に物体（人物）の画像領域を特定して切り出しを行ってもよい。こうして、ユーザ装置１は、制御部２の制御の下、通信部６を介して、ユーザＩＤと共に画像データをサーバ２０に送信する（ステップＳ３）。尚、ユーザ装置１側で、画像中の人物の顔認識まで行っている場合には、画像データに代えて、或いは画像データと共に、特徴量の情報を送信するようにしてもよい。
【００２８】
サーバ２０では、通信部２８によってユーザＩＤ、画像データを受信すると（ステップＳ４）、情報取得・更新部２６は、当該ユーザＩＤに基づいてＳＮＳ等の外部データ提供サーバ４０に対して情報取得リクエストを行う（ステップＳ５）。外部データ提供サーバ４０は、このリクエストを受信すると（ステップＳ６）、当該ユーザＩＤにより特定されたユーザの再新情報をサーバ２０側に送信する（ステップＳ７）。サーバ２０は、この再新情報を受信すると、情報取得・更新部２６が当該情報を取得し、ユーザＤＢ２９或いはモノＤＢの情報を再新情報に更新する（ステップＳ８）。
【００２９】
続いて、サーバ２０では、画像特定部２２が、ユーザ装置１から送られてきた画像データの中の被写体（モノ、人）の画像を特定する（ステップＳ９）。このとき、対象が人であれば、顔認識の為に特徴量抽出を行ってもよい。
【００３０】
そして、ユーザ・物品特定部２３は、ユーザテーブル１００、モノテーブル１０１を参照して、ユーザＩＤと対応付けられている関連するユーザＩＤに係るユーザの顔写真、関連するモノＩＤに係るモノのモノ写真を抽出して、上記画像特定部２２で特定した画像との比較（マッチング）を行い、被写体の中に含まれていた人又はモノが何か（誰か）を特定する（ステップＳ１０）。各テーブル１００，１０１に、画像データに代えて、或いは画像データと共に特徴量の情報が含まれている場合には、ユーザ装置１側から送られてきた特徴量の情報、或いはステップＳ９で算出した特徴量と比較してもよい。
【００３１】
続いて、情報絞込部２４は、上記特定したユーザ又はモノのＩＤと関連付けられて記憶されている付加情報の中から、送信すべき情報を絞り込む（ステップＳ１１）。そして、情報優先順位付部２５は、絞り込んだ情報について、更に優先順位付けを行う（ステップＳ１２）。この実施形態では、例えばユーザが所在する場所や時間や前後の行動に応じて、その関連性が高い順に優先順位付けを行ってもよい。
【００３２】
そして、サーバ２０は、制御部２１の主制御部２７による制御の下、この優先順位付けを行った情報、あるいは当該情報を特定する為の情報を通信部２８を介してユーザ装置１側に送信する（ステップＳ１３）。ユーザ装置１は、通信部６によりこの優先順位付けが行われた情報、或いは当該情報を特定する為の情報を受信し（ステップＳ１４）、制御部２の表示制御部４の制御の下、特定されたモノ又は人物を中心に於いて取り囲むように送信された情報を特定するためのアイコンを表示する（ステップＳ１５）。
【００３３】
ここで、図４にはユーザ装置１の表示部８によるアイコンの表示例を示す。同図に示されるように、画面２００の中で特定された人物の顔を取り囲むように、この例では８つの円形のアイコン２０１Ａ〜２０１Ｈが選択自在に表示される。この人物に関連する情報は前述したようにサーバ２０側で絞り込まれ、更に優先順位付けがなされているが、利用者のいる場所や時間や前後の行動に応じて、その関連性が高い順に順位付けが行われているので、優先順位が高いものから順にアイコンを表示してもよい。例えば、利用者と対象者の共通のチェックインした場所、店、共通の趣味、共通の友人の顔写真、その人が最近撮影した写真等が選択自在にアイコンで表示されてよい。これらは、付加情報としてテーブル１００，１０１でも管理されている。
【００３４】
こうして、本実施形態に係る情報表示システムによる、アイコン表示に至るまでの一連の処理を終了する。この後は、所望とするアイコンを音声入力部９或いは操作入力部１１により選択すれば、更に詳細な画面が表示されることは勿論である。
【００３５】
次に、図５のフローチャートを参照して、図３のステップＳ１５で実施されるアイコン表示の処理の流れを詳細に説明する。これは、本実施形態に係るアイコン表示方法にも相当するものである。ここでは、図６（ａ）乃至（ｅ）を適宜参照する。
【００３６】
この処理に入ると、アイコンの番号に係る変数ｎを１に設定し（ステップＳ２１）、はじめに、図６（ａ），（ｂ）に示されるように、第１番目のアイコンを人物の顔の中心を円の中心とする円弧軌道上に出し（ステップＳ２２）、第１番目のアイコンを第１の速度で円弧軌道上を移動させる（ステップＳ２３）。第１番目のアイコンが予め定められた円弧軌道上の定位置まで移動するまで、この移動を継続する（ステップＳ２３，２４）。
【００３７】
そして、図６（ｃ）に示されるように、第１番目のアイコンが円弧軌道上の定位置まで移動すると（ステップＳ２４をＹｅｓに分岐）、変数ｎがアイコンの個数であるＮであるか否かを判断し（ステップＳ２５）、Ｎでなければ、変数ｎをインクリメントして、次のアイコンについて、図６（ｄ）に示されるように、ステップＳ２２乃至Ｓ２５の処理を繰り返す。そして、Ｎ番目（この例では、Ｎ＝８番目まで）のアイコンについて定位置までの移動を完了すると（ステップＳ２５をＹｅｓに分岐）、図６（ｅ）に示されるように、全てのアイコン（この例では８つ）を円弧軌道上を第２の速度で移動させ（ステップＳ２７）、リターンする。尚、この例では、第２の速度は第１の速度よりも遅い速度としているが、これには限定されない。
【００３８】
このように、アイコン表示方法では、コンピュータとしてのユーザ装置１が、画像データの中の被写体を特定し、前記被写体の画像データをサーバ２０に送信し、サーバ２０からの当該被写体に関わる優先順位付けがなされた情報を受信し、前記特定された画像データ中の被写体を取り囲むように、当該情報を選択可能な複数のアイコンを表示する。さらに、コンピュータとしてのユーザ装置１が、被写体を取り囲む所定の円弧軌道上に複数のアイコンを送り出し、所定数のアイコンが当該円弧軌道上に配列された後、所定の速度で当該アイコン群を前記円弧軌道上で移動させる。
【００３９】
以上のアイコン表示方法は、ユーザ装置１等のコンピュータが、記憶部１２のアプリケーションプログラムを読み出し実行することで実現されるので、本実施形態のコンピュータプログラムの機能にも該当する。また、当該プログラムを格納したコンピュータ読み取り可能な記憶媒体としての実施も可能であることは勿論である。
【００４０】
以上説明したように、本発明の一実施形態に係る情報表示システムによれば、ユーザ装置１と、ユーザ装置１及びＳＮＳ等の外部データ提供サーバ４０と通信自在なサーバ２０とからなる情報表示システムであって、ユーザ装置１は、被写体像を撮影するカメラ部７と、カメラ部７により取得された画像データの中の被写体を推定する物体推定部３と、所定の規則に従ったアイコンの表示を制御する表示制御部４と、アイコンを表示する表示部８と、サーバ２０と通信する通信部６と、を備え、サーバ２０は、ユーザ装置１、外部データ提供サーバ４０とネットワーク５０を介して通信するサーバ通信部（通信部２８）と、ＩＤ（ユーザＩＤ，モノＩＤ）と関連情報（図２参照）とを対応付けて記憶するデータベース（ユーザＤＢ２９，モノＤＢ３０）と、ユーザ装置１より送られてきた画像データの中の被写体を特定する画像特定部２２と、ＩＤと対応付けられている関連ＩＤに係る画像と画像特定部で特定した画像との比較を行い、被写体が何かを特定する特定部としてのユーザ・物品特定部２３と、特定部２３により特定したＩＤと関連付けられて記憶されている付加情報の中から、送信すべき情報を絞り込む情報絞込部２４と、情報絞込部２４により絞り込んだ情報について優先順位付けする情報優先順位付部２５と、情報優先順位付部２５により優先順位付けされた情報を、サーバ通信部（通信部２８）を介してユーザ装置１に送信するよう制御する主制御部２７と、を備え、ユーザ装置１は、通信部６によりサーバ２０からの優先順位付けがなされた情報を受信すると、表示制御部４の制御により表示部８に推定された画像データ中の被写体を取り囲むように、当該情報を選択可能なアイコンを表示する情報表示システムが提供される。
【００４１】
また、ユーザ装置において、表示制御部４は、被写体を取り囲む円弧軌道上に複数のアイコンを送り出し、所定数のアイコンが当該円弧軌道上に配列された後、所定の速度で当該アイコン群を前記円弧軌道上を移動させてもよい。
【００４２】
従って、本発明の実施形態に係る情報表示システム、方法、サーバによれば、ＳＮＳ等とのリンクにより、撮影した被写体（人物、モノ）に関連性の高い情報を絞り込み、更に優先順位を付けて、選択自在なアイコンで被写体周りに表示することができる。このとき優先順位に合わせて、各アイコンの表示順を変えたり、表示色を変えたり、形状や大きさを変えたり、移動速度を変えたりと、多種多様な対応が可能であることは勿論である。
【００４３】
また、本実施形態に係る情報表示システム等によれば、被写体（人物、モノ）とユーザ装置の保持者（ユーザ）との関係から、より関連性の高い情報に絞り込むこともできるので、ＳＮＳとのリンクを効率的に図ることができる。
【符号の説明】
【００４４】
１  ユーザ装置
２  制御部
３  物体推定部
４  表示制御部
５  入出力制御部
６  通信部
７  カメラ部
８  表示部
９  音声入力部
１０  音声出力部
１１  操作入力部
１２  記憶部
２０  サーバ
２１  制御部
２２  画像特定部
２３  ユーザ・物品特定部
２４  情報絞込部
２５  情報優先順位付部
２６  情報取得・更新部
２７  主制御部
２８  通信部
２９  ユーザＤＢ
３０  モノＤＢ
４０  外部データ提供サーバ
５０  インターネット
【図１】
2015166941.tif 000003
【図２】
2015166941.tif 000004
【図３】
2015166941.tif 000005
【図４】
2015166941.tif 000006
【図５】
2015166941.tif 000007
【図６】
2015166941.tif 000008